(57)【要約】  【課題】フィルターの面積を有効に活用しながら、効率よくフィルターの塵埃を除去すると共に、塵埃の排気頻度が少ない巻き取り式エアーフィルター清掃機構を提供する。  【解決手段】巻き取り式エアーフィルター清掃機構で、送り出しリール１５と、巻き取りリール１６と、通気通路部１４と、フィルター体１７と、送り出しリール１５から巻き取りリール１６までのフィルター体１７における少なくとも巻き取りリール１６の近傍に、フィルター体１７の下流面に接触するよう設けられた中間リール１９と、フィルター体１７の上流面に接触し除塵する除塵ブラシ等より成る清掃体２５を備えたもので、清掃体２５は、常にフィルター体１７に対して均一な接触圧を保って清掃を行うことが出来るので、清掃ムラのない安定したフィルター体１７の清掃が可能である。【選択図】図４
2010104961.tif 000002
【特許請求の範囲】
【請求項１】
外気を取り入れる吸気口と排気口を連通する空気通路を有する機器に搭載される巻き取り式エアーフィルター清掃機構において、送り出しリールと、前記送り出しリールに対向して設けられた巻き取りリールと、前記吸気口の近傍で、かつ、前記空気通路の途中に配される通気通路部と、一端が前記送り出しリールに、他端が前記巻き取りリールにそれぞれ係止されると共に前記通気通路部を横断するフィルター体と、前記巻き取りリールを回転駆動して前記フィルター体を移動させる駆動体と、前記巻き取りリールに所定長の前記フィルター体が巻き取られた後、前記フィルター体を巻き戻すために前記送り出しリールを回転駆動する巻き戻し駆動手段と、前記送り出しリールから前記巻き取りリールまでの前記フィルター体における少なくとも前記巻き取りリールの近傍に、前記フィルター体の下流面に接触するよう中間リールを設け、前記中間リールと前記フィルター体の接触部から前記通気通路部側の前記フィルター体の上流面に接触し除塵する除塵ブラシ等より成る清掃体とを備え、前記フィルター体を前記除塵体で所定長除塵した後、前記フィルター体を巻き戻しさせることを特徴とする巻き取り式エアーフィルター清掃機構。  
【請求項２】
清掃体として回転清掃体が形成されてあると共に、前記回転清掃体の回転方向を少なくともフィルター体が巻き取りリールに巻き取られる際に、前記フィルター体の移動方向と逆方向に回転するようにしたことを特徴とする請求項１に記載の巻き取り式エアーフィルター清掃機構。
【請求項３】
フィルター体に堆積した塵埃を除去するための回転清掃体と、前記回転清掃体から塵埃を剥離させるための、先端部が櫛歯状に形成された除塵体とを備え、少なくとも前記フィルター体が巻き取りリールに巻き取られる際に、前記回転清掃体が回転し、前記除塵体の先端部に対して、前記回転清掃体を構成する清掃片の根元部側から端部側にかけて順次当接するようにしたことを特徴とする請求項１または２に記載の巻き取り式エアーフィルター清掃機構。
【請求項４】
吸気口と排気口を有する本体は、光源ランプ等より成る画像表示素子体と、前記画像表示素子体からの画像を拡大投射可能に設けられたレンズ等より成る投射体と、前記投射体や前記画像表示素子体を制御する電子部品等より成る制御体と、前記吸気口から外気を前記本体内に吸引し、内部を冷却した後、前記排気口より排気するための送風機と、請求項１〜３のいずれか１項に記載の巻き取り式エアーフィルター清掃機構とを備え、前記巻き取り式エアーフィルター清掃機構は、前記本体に着脱自在で、かつ、前記巻き取り式エアーフィルター清掃機構を前記本体に取り付けたときに、前記巻き取り式エアーフィルター清掃機構の通気通路部が、前記吸気口と気密に連通するようにしたプロジェクター装置。
【請求項５】
吸気口と排気口間の通過空気の温度または、圧力を検知するセンサー或いは、運転時間を積算するタイマーを備え、前記センサーによる検知結果或いは、前記タイマーによる積算結果に応じて、駆動体で巻き取りリールを回転させてフィルター体を所定距離移動させることを特徴とする請求項４に記載のプロジェクター装置。
【発明の詳細な説明】
【技術分野】
【０００１】
本発明は、電子機器等に搭載される巻き取り式エアーフィルター清掃機構及びそれを用いたプロジェクター装置に関するものである。
【背景技術】
【０００２】
従来のこの種の巻き取り式エアーフィルター機構として、送り出しリールと、前記送り出しリールと間を置いて配された巻き取りリールと、一端が前記送り出しリールに係止されると共に巻かれ、他端が前記巻き取りリールに係止されたロール状のエアーフィルターと、巻き取りリールを回転駆動する駆動手段と、エアーフィルターをファンに密接すると共にエアーフィルターの張力を一定にするためのテンショナーを備え、前記エアーフィルターの前記送り出しリールと前記巻き取りリール間に位置する部分を、機器に設けられた空冷用吸気口の前に配置して、機器の運転中に、所定の時間間隔で前記駆動手段に通電して、汚れたエアーフィルターを巻き取りリールに順次巻き取るようにしたものがある（例えば、特許文献１参照）。
【０００３】
また、巻き取り式エアーフィルターを用いたものではないが、機器に設けられた外気取り入れ口に沿って移動可能または外気取り入れ口上で回転可能に配設したプレフィルターと、前記プレフィルターを移動または回転させるための駆動メカユニットと、前記プレフィルターに摺接し、付着した粉塵を除去するブラシと、前記プレフィルターより下流側に設けられると共に、前記プレフィルターより粒子径の小さい塵埃を捕集する第２のエアーフィルターとから構成され、前記プレフィルターに一定量の粉塵が溜まっていることを、目詰まりセンサーで感知した時、或いは所定の時間が経った時に、駆動メカユニットでプレフィルターを移動または回転させ、その間にブラシでプレフィルターに付着した埃や粉塵を除去するようにしたものもある（例えば、特許文献２参照）。
【特許文献１】特開平８−１２８４００号公報
【特許文献２】特開２００８−０６５０２１号公報
【発明の開示】
【発明が解決しようとする課題】
【０００４】
しかしながら、上記特許文献１に記載されたような従来の巻き取り式エアーフィルター機構の構成では、エアーフィルターに付着した塵埃を除去する機構が無く、単に塵埃で目詰まりしたエアーフィルターを巻き取りリールで巻き取るだけなので、エアーフィルターの全長が目詰まりしたときは、エアーフィルターを巻き取りリールごと取り外し、そのエアーフィルターを広げて掃除する必要があり、清掃作業が非常に面倒であった。
【０００５】
また、このようなエアーフィルターの清掃作業の頻度を減らすには、エアーフィルターの全長を長くしなければならず、これに伴い、送り出しリール及び巻き取りリールの外径の巨大化を招き、巻き取り機構の大型化及びエアーフィルターの長大化により、高コストになってしまう、という課題があった。
【０００６】
また、テンショナーが設けられているため、駆動手段の駆動トルクを大きくする必要があり、このため駆動手段の大型化、ひいては機器の大型化を招く、という課題があった。
【０００７】
また、上記第２の引用文献に実施の形態１として記載された従来のフィルターユニットの構成では、ブラシが設けられているので、プレフィルターからの塵埃の除去を確実に行うことが出来るが、プレフィルターから塵埃を除去するために、プレフィルターを移動させた時に、外気取り入れ口が開放されるので、外気が第２のエアーフィルターに直接侵入することになり、塵埃が機器内に直接侵入することが無いものの、第２のエアーフィルターが早期に目詰まりする、という課題があった。
【０００８】
また、同特許文献に実施の形態２として記載された従来のフィルターユニットの構成では、プレフィルターを清掃する際に、プレフィルターを回転させるようになっているので、外気取り入れ口が常にプレフィルターで覆われ、第２のエアーフィルターが早期に目詰まりすることはないが、ブラシが、プレフィルターの外気通過面に配置されているため、プレフィルターの有効濾過面積が減少され、プレフィルターの目詰まりの時期が早くなり、その結果、除塵回数が多くなって、駆動メカユニットの寿命が短くなる、という課題があった。
【０００９】
本発明は、上記従来の課題を解決するもので、フィルターの面積を有効に活用しながら、効率よくフィルターの塵埃を除去すると共に、塵埃の廃棄頻度が少なく、メンテナンスの容易な巻き取り式エアーフィルター清掃機構及びプロジェクター装置を提供することを目的とするものである。
【課題を解決するための手段】
【００１０】
上記従来の課題を解決するために、本発明の巻き取り式エアーフィルター清掃機構は、外気を取り入れる吸気口と排気口を連通する空気通路を有する機器に搭載される巻き取り式エアーフィルター清掃機構において、送り出しリールと、前記送り出しリールに対向して設けられた巻き取りリールと、前記吸気口の近傍で、かつ、前記空気通路の途中に配される通気通路部と、一端が前記送り出しリールに、他端が前記巻き取りリールにそれぞれ係止されると共に前記通気通路部を横断するフィルター体と、前記巻き取りリールを回転駆動して前記フィルター体を移動させる駆動体と、前記巻き取りリールに所定長の前記フィルター体が巻き取られた後、前記フィルター体を巻き戻すために前記送り出しリールを回転駆動する巻き戻し駆動手段と、前記送り出しリールから前記巻き取りリールまでの前記フィルター体における少なくとも前記巻き取りリールの近傍に、前記フィルター体の下流面に接触するよう中間リールを設け、前記中間リールと前記フィルター体の接触部から前記通気通路部側の前記フィルター体の上流面に接触し除塵する除塵ブラシ等より成る清掃体とを備えたもので、フィルター体で捕集された塵埃は、清掃体で確実に除去されるので使用者はフィルター体で捕集された塵埃をブラシ等で周囲に撒き散らしながら清掃する必要が無く非常に衛生的である。また、清掃体は、中間リールとフィルター体の接触部から通気通路部側の、フィルター体の上流面に接触しているため、フィルター体を順次巻き取りリールで巻き取っていくことにより、巻き取りリールの巻き取り外径が徐々に大きくなっていっても清掃体とフィルター体の距離は変化しない。従って常にフィルター体に対して均一な接触圧を保って清掃を行うことが出来るので、清掃ムラのない安定したフィルター体の清掃が可能である。
【００１１】
さらに、フィルター体で塵埃が所定量捕集されたら、駆動体で巻き取りリールを回転させて、フィルター体を巻き取りリールに、通気通路部の幅の分だけ移動させることにより、汚れのない新鮮なフィルター体が吸気口に配置されるので、目詰まりは確実に解消され外気は通過しやすいものである。
【００１２】
また、本発明の巻き取り式エアーフィルター清掃機構は、清掃体として回転清掃体が形成されてあると共に、前記回転清掃体の回転方向を少なくともフィルター体が巻き取りリールに巻き取られる際に、フィルター体の移動方向と逆方向に回転するようにしたもので、フィルター体で捕集された塵埃を回転清掃体で確実に捕えることが出来、塵埃を回転清掃体とフィルター体の接触面より後方、即ちフィルター体の進行方向側へ逃がすことが無く、フィルター体の目詰まりを確実に解消することが出来る。
【００１３】
また、フィルター体に堆積した塵埃を除去するための回転清掃体と、前記回転清掃体から塵埃を剥離させるための、先端部が櫛歯状に形成された除塵体とを備え、少なくともフィルター体が巻き取りリールに巻き取られる際に、前記回転清掃体が回転し、前記回転清掃体が回転する際に、前記除塵体の先端部に対して、前記回転清掃体を構成する清掃片の根元部側から端部側にかけて順次当接するようにしたもので、フィルター体から除去された塵埃を回転清掃体から除去させるための除塵体を設けることで、常に塵埃の付着がない清掃体をフィルター体に当接させることが出来るので、清掃体で確実に塵埃を除去することが出来る。また除塵体により回転清掃体に付着した塵埃が除去されるので、回転清掃体に付着した塵埃がフィルター体に再付着することが無く、優れた塵埃除去性能を発揮することが出来る。
【００１４】
また、本発明のプロジェクター装置は、吸気口と排気口を有する本体は、光源ランプ等より成る画像表示素子体と、前記画像表示素子体からの画像を拡大投射可能に設けられたレンズ等より成る投射体と、前記投射体や前記画像表示素子体を制御する電子部品等より成る制御体と、前記吸気口から外気を前記本体内に吸引し、内部を冷却した後、前記排気口より排気するための送風機と、請求項１〜３のいずれか１項に記載の巻き取り式エアーフィルター清掃機構とを備え、前記巻き取り式エアーフィルター清掃機構は、前記本体に着脱自在で、かつ、前記巻き取り式エアーフィルター清掃機構を前記本体に取り付けたときに、前記巻き取り式エアーフィルター清掃機構の通気通路部が、前記吸気口と気密に連通するようにしたもので、エアーフィルター体の除塵が、使用者の手を煩わすこと無く清掃体で確実に行われる。また、エアーフィルター体は常にきれいな状態で維持されるので、エアーフィルター体の部分での空気圧損が少なく、プロジェクター装置内部を効率よく冷却出来るので、信頼性に優れたプロジェクター装置を提供することが出来る。
【００１５】
また、本発明のプロジェクター装置は、吸気口と排気口間の通過空気の温度または、圧力を検知するセンサー或いは、運転時間を積算するタイマーを備え、前記センサーによる検知結果或いは、前記タイマーによる積算結果に応じて、駆動体で巻き取りリールを回転させてフィルター体を所定距離移動させるもので、フィルター体が塵埃により目詰まりすると、外気の流れが弱くなり、プロジェクター装置本体内の冷却効果は低減するが、本体内の温度や圧力を検知するセンサーを設けることで、機器の内部温度が高かったり、或いは、機器内の圧力が低く、外気の流れが異常であることを検知したとき、駆動体を駆動して、フィルター体の汚れていない部分を通気通路部まで移動させることで、使用者が自らフィルター体を移動させること無く、異常に対応することが出来、非常に便利である。また、タイマーによる運転時間の積算結果に基づいて、フィルター体の塵埃による目詰まり具合がある程度想定出来るので、タイマーによる運転時間の積算結果に応じて、駆動体を駆動して、フィルター体の汚れていない部分を吸気口まで移動させるようにしても同様の効果が得られる。
【発明の効果】
【００１６】
本発明の巻き取り式エアーフィルター清掃機構及びプロジェクター装置は、フィルターの面積を有効に活用しながら、効率よくフィルターの塵埃を除去すると共に、塵埃の廃棄頻度が少なく、メンテナンスが非常に容易である。
【発明を実施するための最良の形態】
【００１７】
第１の発明は、外気を取り入れる吸気口と排気口を連通する空気通路を有する機器に搭載される巻き取り式エアーフィルター清掃機構において、送り出しリールと、前記送り出しリールに対向して設けられた巻き取りリールと、前記吸気口の近傍で、かつ、前記空気通路の途中に配される通気通路部と、一端が前記送り出しリールに、他端が前記巻き取りリールにそれぞれ係止されると共に前記通気通路部を横断するフィルター体と、前記巻き取りリールを回転駆動して前記フィルター体を移動させる駆動体と、前記巻き取りリールに所定長の前記フィルター体が巻き取られた後、前記フィルター体を巻き戻すために前記送り出しリールを回転駆動する巻き戻し駆動手段と、前記送り出しリールから前記巻き取りリールまでの前記フィルター体における少なくとも前記巻き取りリールの近傍に、前記フィルター体の下流面に接触するよう中間リールを設け、前記中間リールと前記フィルター体の接触部から前記通気通路部側の前記フィルター体の上流面に接触し除塵する除塵ブラシ等より成る清掃体とを備えたもので、清掃体は、中間リールとフィルター体の接触部から通気通路部側の、フィルター体の上流面に接触しているため、フィルター体を順次巻き取りリールで巻き取っていくことにより、巻き取りリールの巻き取り外径が徐々に大きくなっていっても清掃体とフィルター体の距離は変化しない。従って常にフィルター体に対して均一な接触圧を保って清掃を行うことが出来るので、清掃ムラのない安定したフィルター体の清掃が可能である。また、フィルター体で捕集された塵埃は、清掃体で確実に除去されるので、使用者は、フィルター体で捕集された塵埃をブラシ等で周囲に撒き散らしながら清掃する必要が無く非常に衛生的である。また、一旦除塵されたフィルター体を、送り出しリール側に、所定長さづつ巻き戻しすることで、フィルター体を往復使用して、フィルター体を長期にわたり有効活用することが出来る。また、清掃体を、フィルター体の通気通路部より外方、即ち、フィルター体の外気が通過する通気エリア以外に設けているので、清掃体が、外気の通過を阻害すること無く、フィルター体の有効活用が可能で、本体のコンパクト化にも役立つ。
【００１８】
さらに、フィルター体で塵埃が所定量捕集されたら、駆動体で巻き取りリールを回転させて、フィルター体を巻き取りリールに、通気通路部の幅の分だけ移動させることにより、汚れのない新鮮なフィルター体が吸気口に配置されるので、目詰まりは確実に解消され外気は通過しやすいものである。
【００１９】
さらに、清掃体によるフィルター体の除塵は、外気が通過する通気通路部の外側で行われるので、清掃体によって捕集された塵埃がフィルター体の目を通過することが防止される。
【００２０】
第２の発明は、清掃体として回転清掃体が形成されてあると共に、前記回転清掃体の回転方向を少なくともフィルター体が巻き取りリールに巻き取られる際に、フィルター体の移動方向と逆方向に回転するようにしたもので、回転清掃体を構成する清掃片が鯉の滝登りの如く、逆らいながらフィルター体に接触するので、塵埃を回転清掃体とフィルター体の接触面より後方、即ちフィルター体の進行方向側へ逃がすことが無く、フィルター体で捕集された塵埃を回転清掃体で確実に捕えることが出来、フィルター体の目詰まりを確実に解消することが出来る。
【００２１】
第３の発明は、特に、第１または第２の発明のフィルター体に堆積した塵埃を除去するための回転清掃体と、前記回転清掃体から塵埃を剥離させるための、先端部が櫛歯状に形成された除塵体とを備え、少なくともフィルター体が巻き取りリールに巻き取られる際に、前記回転清掃体が回転し、前記回転清掃体が回転する際に、前記除塵体の先端部に対して、前記回転清掃体を構成する清掃片の根元部側から端部側にかけて順次当接するようにしたもので、フィルター体から除去された塵埃を回転清掃体から除去させるための除塵体を設けることで、清掃片に付着した塵埃は、根元部側から端部側に掻き出されるため、常に塵埃の付着がない清掃体をフィルター体に当接させることが出来るので、清掃体で確実に塵埃を除去することが出来る。また除塵体により回転清掃体に付着した塵埃が除去されるので、回転清掃体に付着した塵埃がフィルター体に再付着することが無く、優れた塵埃除去性能を発揮することが出来る。
【００２２】
第４の発明は、吸気口と排気口を有する本体は、光源ランプ等より成る画像表示素子体と、前記画像表示素子体からの画像を拡大投射可能に設けられたレンズ等より成る投射体と、前記投射体や前記画像表示素子体を制御する電子部品等より成る制御体と、前記吸気口から外気を前記本体内に吸引し、内部を冷却した後、前記排気口より排気するための送風機と、請求項１〜３のいずれか１項に記載の巻き取り式エアーフィルター清掃機構とを備え、前記巻き取り式エアーフィルター清掃機構は、前記本体に着脱自在で、かつ、前記巻き取り式エアーフィルター清掃機構を前記本体に取り付けたときに、前記巻き取り式エアーフィルター清掃機構の通気通路部が、前記吸気口と気密に連通するようにしたもので、エアーフィルター体の除塵が、使用者の手を煩わすこと無く清掃体で確実に行われる。また、エアーフィルター体は常にきれいな状態で維持されるので、エアーフィルター体の部分での空気圧損が少なく、プロジェクター装置内部を効率よく冷却出来るので、信頼性に優れたプロジェクター装置を提供することが出来る。
【００２３】
第５の発明は、吸気口と排気口間の通過空気の温度または、圧力を検知するセンサー或いは、運転時間を積算するタイマーを備え、前記センサーによる検知結果或いは、前記タイマーによる積算結果に応じて、駆動体で巻き取りリールを回転させてフィルター体を所定距離移動させるもので、フィルター体が塵埃により目詰まりすると、外気の流れが弱くなり、プロジェクター装置本体内の冷却効果は低減するが、本体内の温度や圧力を検知するセンサーを設けることで、機器の内部温度が高かったり、或いは、機器内の圧力が低く、外気の流れが異常であることを検知したとき、駆動体を駆動して、フィルター体の汚れていない部分を通気通路部まで移動させることで、使用者が自らフィルター体を移動させること無く、異常に対応することが出来、非常に便利である。また、タイマーによる運転時間の積算結果に基づいて、フィルター体の塵埃による目詰まり具合がある程度想定出来るので、タイマーによる運転時間の積算結果に応じて、駆動体を駆動して、フィルター体の汚れていない部分を吸気口まで移動させるようにしても同様の効果が得られる。
【００２４】
以下、本発明の実施例について、図面を参照しながら説明する。なお、この実施例によって本発明が限定されるものではない。
【００２５】
（実施例１）
【００２６】
図１は、本発明の第１の実施例における巻き取り式エアーフィルター清掃機構を搭載したプロジェクター装置の外観斜視図、図２は、同プロジェクター装置の巻き取り式エアーフィルター清掃機構の取付け部の断面図、図３は、同巻き取り式エアーフィルター清掃機構の拡大断面図、図４は、同巻き取り式エアーフィルター清掃機構の斜視図、図５は、同巻き取り式エアーフィルター清掃機構の巻き取り部分の拡大図、図６は、同巻き取り式エアーフィルター清掃機構の除塵体の拡大図である。
【００２７】
図１〜６において、本実施例における巻き取り式エアーフィルター清掃機構１（以下「フィルター清掃機構１」という）を搭載したプロジェクター装置２の本体２ａの前部には、画像を投射する投射レンズを有する投射体３が、一側には、吸気口４が、他側には、排気口５がそれぞれ形成されている。
【００２８】
本体２ａ内部には、投射体３により投射される画像を光学的に処理する多数の電子部品等から成る画像表示素子体６と、電源基板体７と、本体２ａ内の温度や圧力等を検知するセンサー８と、吸気口４と排気口５を連通する空気通路９内に配され、吸気口４から外気を吸引し、画像表示素子体６や電源基板体７などの発熱部品を冷却し、排気口５より排気させるための送風機１０と、画像表示素子体６や送風機１０などを制御する制御体１１等が内装されている。
【００２９】
また、本体２ａの前方乃至上部には、ＬＥＤなどからなり、本体２ａの動作状況等を表示して、使用者に告知する告知部１２が設けられている。
【００３０】
本実施例では、フィルター清掃機構１は、本体２ａの吸気口４が形成された側面に、着脱自在に装着出来るようになっている。
【００３１】
次に、本実施例におけるフィルター清掃機構１の構成について詳述する。
【００３２】
フィルター清掃機構１は、対向して設けられた略直方体状のリール収納体１３と、一対のリール収納体１３間に形成された通気通路部１４とを備えている。この通気通路部１４は、フィルター清掃機構１を本体２ａに装着したときに、吸気口４の近傍で、しかも通気通路部１４の途中に、即ち吸気口４と送風機１０との間に位置すると共に、吸気口４と気密に連通するようになっており、動作時に、吸気口４から流入する外気が通る通路となるものである。
【００３３】
リール収納体１３の一方（図２、３、４において、右側）に、送り出しリール１５が、他方（図２、３、４において左側）に巻き取りリール１６がそれぞれ回転自在に支持されている。
【００３４】
１７は、外気に含まれる塵埃を捕集するための細かい通気穴（図示せず）を多数有するフィルター体で、その一端は、前記送り出しリール１５に、他端は、前記巻き取りリール１６にそれぞれ固着されている。本実施例では、フィルター体１７の全長を、少なくとも、前記通気通路部１４の幅の長さの１０倍以上に設定しており、その大半は、あらかじめ、送り出しリール１５に捲回されていて、フィルター体１７の送り出しリール１５と巻き取りリール１６との間に位置する部分は、通気通路部１４を横断するように、しかも気密に配されている。
【００３５】
１８は、巻き取りリール１６の下方に配され、巻き取りリール１６を所定の回転数だけ回転させて、送り出しリール１５に捲回され塵埃が付着してない新鮮なフィルター体１７を、通気通路部１４を横断させながら引き出し、巻き取りリール１６に巻き取るための駆動体である。
【００３６】
１８ａは、送り出しリール１５の下方に設けられ、送り出しリール１５を回転させて、巻き取りリール１６に巻かれたフィルター体１７を、所定の長さずつ巻き戻すための巻き戻し駆動体である。駆動手段は機械式、手動式どちらでも良い。
【００３７】
１９は、送り出しリール１５から巻き取りリール１６までのフィルター体の間で、かつ通気通路部１４より外側に収納され、巻き取りリール１６の近傍に配された中間リールで、２９は、送り出しリールの近傍に配された中間リールである。中間リール１９、２９は、フィルター体１７と清掃体２５が常に均一な接触圧を保って清掃を行う効果を果たすものである。フィルター体１７が巻き取りリール１６に捲回される際、その外径が、徐々に大径に変化しても、吸気口４とフィルター体１７との位置関係が変化して隙間が生じるのを防止するよう、中間リール１９、２９の各回転中心を結ぶ線Ｌが、吸気口４と平行になるように配置されている。
【００３８】
２０は、巻き取りリール１６の近傍に設けられた検知スイッチで、巻き取りリール１６に巻き取られたフィルター体１７が所定の外径になったら、それを検知して、制御体１１に信号を送り、送り出しリール１５を回転させる巻き戻し駆動体１８ａを動作させるようになっている。
【００３９】
２１は、リール収納体１３の上部開口１３ａを着脱自在に覆う蓋で、フィルター清掃機構１の交換時、フィルター清掃機構１を取り出しやすく、形成されている。
【００４０】
２２は、後方に外気通過口２２ａが形成され、送風機１０を固着し、側面にガイド壁２２ｂを有する送風機取付け体で、ガイド壁２２ｂの上流側端部は通気通路部１４の出口１４ａに気密に当接している。
【００４１】
２３は塵埃収納体で、塵埃収納体２３内には、フィルター体１７から除塵された塵埃を収納する塵埃収納室２３ａが形成されている。２４ａは、除塵体用蓋２４に設けた取っ手である。
【００４２】
塵埃収納体２３は、透明または半透明材料で構成されており、塵埃収納室２３ａ内の塵埃が所定量収納されたら、蓋２１を開いてフィルター清掃機構１を本体２ａから外し、塵埃収納体２３をフィルター清掃機構１から取り外して塵埃をゴミ箱或いは袋等に捨て去れば良く、塵埃処理が確実にかつ清潔に行なうことが出来る。
【００４３】
中間リール１９の近傍には、フィルター体１７に付着した塵埃を除去する清掃体２５が回転自在に形成され、この清掃体２５は、軸体２５ａと、軟質材からなり、屈曲自在で、軸体２５ａに放射状に形成された多数の清掃片２５ｂより構成され、その清掃片２５ｂの上下幅は、フィルター体１７の上下幅全域に所定の圧力で当接するよう固着されている。
【００４４】
２６は、フィルター体１７に捕集された塵埃を清掃体２５で除塵した後、清掃体２５に付着した塵埃を除去するための除塵体で、その先端部は、清掃片２５ｂの根本部側から端部側へ順次当接するように配されている。２７は、清掃体２５を回転駆動する駆動体である。
【００４５】
以上のように構成された本実施例における巻き取り式エアーフィルター清掃機構と、それを搭載したプロジェクター装置の動作、作用は以下の通りである。
【００４６】
プロジェクター装置の運転時には、送風機１０の運転により、外気が、本体２ａの吸気口４→通気通路部１４→フィルター体１７→通気通路部１４→通気通路部の出口１４ａ→空気通路９→送風機取付け体２２の外気通過口２２ａを順に経て、本体２ａ内に入り、画像表示素子体６、電源基板体７、制御体１１などの熱を発生させる部品を冷却した後、排気口５より外部に排気される。
【００４７】
外気が、フィルター体１７を通過するときに、その外気に含まれた塵埃は、フィルター体１７で捕集されるので、塵埃が本体２ａ内に入ることが無い。
【００４８】
このようにして、本体２ａを長期間使用していると、フィルター体１７が塵埃で目詰まりし、外気が吸気口４から入り難くなって、本体２ａ内の発熱部品の冷却性能が低下してくるが、本実施例では、本体２ａ内の温度や圧力を検知するセンサー８を設けて、空気の流れが悪くなって本体２ａ内の温度が所定の温度を超えたり、空気が本体２ａ内に入り難くなって、本体２ａ内の空気圧力が所定の値以下になったことを検知すると、制御体１１が、自働的に、駆動体１８を所定時間ないし所定回転運転して、フィルター体１７を、通気通路部１４の幅分だけ、巻き取りリール１６に巻き上げて移動させる。これにより、フィルター体１７のきれいな部分、即ち塵埃が付着していない部分が、新たに、通気通路部１４を横断し、外気が何の抵抗も無く本体２ａ内に吸引されていく。
【００４９】
また、フィルター体１７の塵埃で目詰まりした部分が、通気通路部１４の幅分だけ、巻き取りリール１６側に移動する間に、駆動体２７にも通電されて、清掃体２５が回転し、清掃体２５の清掃片２５ｂにより、フィルター体１７の上流側面に付着した塵埃が除去され、塵埃収納室２３ａに落下し、収納される。
【００５０】
本実施例では、フィルター体１７を除塵する際の、フィルター体１７の移動方向Ａと、清掃体２５の回転方向Ｂを逆方向に設けて、清掃体２５がフィルター体１７の塵埃を確実に捕えることが出来、塵埃をフィルターに再付着させること無く確実に除塵することが出来るようにしている。
【００５１】
また、本実施例では、清掃体２５は、巻き取りリール１６の手前に配されているので、巻き取りリール１６には、フィルター体１７が清掃された後に巻き上げられることになるので、非常に衛生的である。
【００５２】
また、清掃体２５に、フィルター体１７から除去された塵埃が落下せずに残っても、除塵体２６で、その塵埃が梳かれるので、清掃体２５に塵埃が堆積し続ける、ということは無い。
【００５３】
本実施例では、フィルター体１７の全長を、通気通路部１４を１０回移動させることが出来るような所定長にしているので、上記の清掃動作を１０回繰り返すことが出来る。清掃動作が１０回行われ、巻き取りリール１６の外径が所定の大きさになると、それを検知スイッチ２０が検知し、フィルター体１７が、巻き取りリール１６側に完全に巻き取られた旨を、ブザーやチャイムなどの音で、或いは、告知部１２に表示して、使用者に告知するようにしている。或いは、フィルター体１７の全長を、通気通路部１４を１回移動させることが出来るように所定長を設定するなど、所定長は任意に選択出来る。
【００５４】
使用者は、フィルター体１７が、巻き取りリール１６側に完全に巻き取られたことを、ブザーやチャイムなどの音或いは、告知部１２で認識したら、フィルター清掃機構１を本体２ａから抜き取り、取っ手２４ａをつまんで除塵体用蓋２４を取り外し、塵埃収納室２３ａ内の塵埃を廃棄する。本実施例では、塵埃収納体２３が、透明又は半透明の材料で形成されているので、外から塵埃収納室２３ａ内の塵埃の堆積量が確認でき、塵埃の量が少ない場合は、そのままの状態（塵埃を残したまま）で本体２ａに再装着しても良い。
【００５５】
塵埃の廃棄を終え、フィルター機構１を本体２ａに再装着すると、自動的に、巻き取りリール１６側に設けられた図示しないクラッチ機構が動作して、駆動体１８と巻き取りリール１６との機械的連結が開放されると共に、送り出しリール１５側の巻き戻し駆動体１８ａが駆動し、巻き取りリール１６に巻き取られたフィルター体１７が、送り出しリール１５側に巻き戻され、次回の１０回の利用に備えることとなる。
【００５６】
以上のように、本実施例によれば、フィルター体１７で捕集された塵埃は、清掃体２５で確実に除去されるので、使用者は、フィルター体１７で捕集された塵埃をブラシ等で周囲に撒き散らしながら清掃する必要が無く非常に衛生的である。また、清掃体２５を、フィルター体１７の通気通路部１４より外側、即ち、フィルター体１７の外気が通過する通気エリア以外に設けているので、清掃体２５が、外気の通過を阻害すること無く、フィルター体１７の有効活用が可能で、本体２ａのコンパクト化にも役立つ。
【００５７】
さらに、フィルター体１７で塵埃が所定量捕集されたら、駆動体１８で巻き取りリール１６を回転させて、フィルター体１７を巻き取りリール１６に、通気通路部１４の幅の分だけ移動させることにより、汚れのない新鮮なフィルター体１７が通気通路部１４に配置されるので、目詰まりは確実に解消され外気は通過しやすいものである。
【００５８】
さらに、清掃体２５によるフィルター体１７の除塵は、外気が通過する通気通路部１４の外側で行われるので、清掃体２５によって捕集された塵埃がフィルター体１７の目を通過することが防止される。
【００５９】
また、一旦除塵されたフィルター体１７を、送り出しリール側に、所定長さづつ巻き戻しすることで、フィルター体１７を往復使用して、フィルター体１７を長期にわたり有効活用することが出来る。
【００６０】
また、フィルター体１７から除去された塵埃を、塵埃収納体２３の塵埃収納室２３ａ内に貯めておくことが出来るので、清掃体２５が動作する都度塵埃を廃棄する必要が無く、メンテナンスが容易である。なお、塵埃収納体２３を着脱自在に設ければ、適当な時期に塵埃収納体２３のみを外し、中の塵埃をゴミ箱や袋等に捨て去れば良いもので、容易にしかも衛生的に塵埃を廃棄処理することが出来る。
【００６１】
また、送り出しリール１５と巻き取りリール１６間で、かつ、通気通路部１４の外側に、フィルター体１７が巻き始めから巻き終わりまでの間、前記フィルター体１７の前記通気通路部１４を横断する位置が一定となるよう中間リール１９、２９を配したので、フィルター体１７が巻き取りリール１６に巻き取られる際、送り出しリール１５と巻き取りリール１６のそれぞれの全体の外径寸法が変わっても、フィルター体１７が、吸気口４に対し傾斜することが無く、常に平行に配置され、吸気口４とフィルター体１７との間に隙間が生じ無く、そのシール性が向上する。また、フィルター体１７の張力も一定に維持することが出来る。
【００６２】
また、上記フィルター清掃機構１をプロジェクター装置２に搭載することにより、フィルター体１７は常にきれいな状態で維持されるので、フィルター体１７の部分での空気圧損が少なく、プロジェクター装置２内部を効率よく冷却でき、信頼性に優れたプロジェクター装置２を提供することが出来る。
【００６３】
また、フィルター体１７が塵埃により目詰まりすると、外気の流れが弱くなり、プロジェクター装置本体内の冷却効果は低減するが、本体２ａ内の温度や圧力を検知するセンサー８を設け、本体２ａの内部温度が高かったり、或いは、本体２ａ内の圧力が低く、外気の流れが異常であることを検知したとき、駆動体１８を駆動して、フィルター体１７の汚れていない部分を通気通路部１４まで移動させることで、使用者が自らフィルター体１７を移動させること無く、自動的に異常に対応することが出来、非常に便利である。
【００６４】
上記実施例では、フィルター体１７の全長を、通気通路部１４を１０回移動させることが出来るような長さにしたが、本体２ａの多少の大型化が許容されるのであれば、フィルター体１７をさらに長くして、より多くの回数で清掃が出来るようにしても良く、逆に、フィルター体１７の全長を短くして、本体２ａの小型化を図るようにしても良い。
【００６５】
また、上記実施例では、センサー８が所定の温度や圧力を検知したときに駆動体１８、２７を動作させるようにしたが、それとは別に、手動スイッチ（図示せず）を設けて、使用者が目視でフィルター体１７が汚れていると判断したときに、その手動スイッチを操作して、駆動体１８、２７を動作させるようにしても良い。
【００６６】
また、本体２ａの累積運転時間によって、フィルター体１７の汚れ具合（塵埃の堆積具合）がある程度推定出来るので、上記センサー８の代わりに、本体２ａの運転時間を積算するタイマー（図示せず）を備え、その積算結果に応じて、駆動体１８、２７を動作させるようにしても良い。
【００６７】
或いは、光学的手段で、フィルター体１７の汚れ具合（塵埃の堆積具合）を検知するようにし、前記光学的手段が所定の汚れ具合を検知したときに、駆動体１８、２７を動作させるようにしても良い。
【００６８】
また、清掃体２５で取りきれない細かい塵埃がフィルター体１７に次第に堆積してきたときは、蓋２１を開けて、着脱自在のフィルター体１７を取り出して洗ったり或いは、それを交換しても良い。更に、本体２ａの大きさにある程度の余裕があるときは、送り出しリール１５の近傍にも、除塵体を有する塵埃収納体を設けておけば、繰り返し長期間使用出来るものである。
【００６９】
また、フィルター清掃機構１が本体２ａに装着されていないとき、或いは、フィルター清掃機構１内にフィルター体１７が装着されていないときは、その旨を、告知部１２で使用者に告知するとともに、本体２ａの運転が出来ないようにすれば、より安全性が確保出来る。
【００７０】
なお、上記実施例では、フィルター体１７の送り出しリール１５から巻き取りリール１６との間の部分を、吸気口４に対し常に平行にするために中間リール１９を用いたが、その代わりに、非回転の壁体、位置決め体、ボス等の固定部材を用いても良い。
【００７１】
また、上記実施例では、送り出しリール１５、巻き取りリール１６、清掃体２５を回転駆動させるために、巻き取り駆動体１８、巻き戻し駆動体１８ａ、駆動体２７と個々に設けたが、送り出しリール１５、巻き取りリール１６、清掃体２５のいずれか一つだけに、或いは、２つだけに駆動体を設けて、他とはベルトやギアなど連結させるようにしても良い。或いは、送り出しリール１５と巻き取りリール１６のいずれか一方に駆動体を設け、他方にコイルバネを内蔵させて、一方を駆動体で回転させてフィルター体１７を巻き上げながら、同時に他方のコイルバネを巻き上げるようにすれば、駆動体をクラッチなどで切り離すだけで、コイルバネの付勢力でフィルター体１７を他方に巻き戻すことも出来る。
【００７２】
なお、上記実施例では、塵埃収納体２３の塵埃収納室２３ａ内の塵埃を廃棄する際、一旦、フィルター清掃機構１をプロジェクター装置２の本体２ａより抜き取り、そしてフィルター清掃機構１から塵埃収納体２３を取り外すようにしたが、本体２ａにフィルター清掃機構１を取り付けた状態で、塵埃収納体２３が取り外せる構成にすれば、塵埃の破棄の都度フィルター清掃機構１を本体２ａから抜き取る必要が無く、使用勝手が更に良くなるものである。
【産業上の利用可能性】
【００７３】
以上のように、本発明の巻き取り式エアーフィルター清掃機構及びプロジェクター装置は、フィルターの面積を有効に活用しながら、効率よくフィルターの塵埃を除去すると共に、塵埃の排気頻度が少なく、メンテナンスが非常に容易なもので、外気を取り入れて内部の発熱部品を冷却するようにした各種電子機器、電気機器に応用出来る。
【図面の簡単な説明】
【００７４】
【図１】本発明の第１の実施例における巻き取り式エアーフィルター清掃機構を搭載したプロジェクター装置の外観斜視図
【図２】同プロジェクター装置の巻き取り式エアーフィルター清掃機構の取付け部の断面図
【図３】同巻き取り式エアーフィルター清掃機構の拡大断面図
【図４】同巻き取り式エアーフィルター清掃機構の斜視図
【図５】同巻き取り式エアーフィルター清掃機構の巻き取り部分の拡大図
【図６】同巻き取り式エアーフィルター清掃機構の除塵体の拡大図
【符号の説明】
【００７５】
１  巻き取り式エアーフィルター清掃機構（フィルター清掃機構）
２  プロジェクター装置
４  吸気口
５  排気口
１０  送風機
１３  リール収納部
１４  通気通路部
１５  送り出しリール
１６  巻き取りリール
１７  フィルター体
１８、１８ａ、２７  駆動体
１９、２９  中間リール
２６  除塵体
【図１】
2010104961.tif 000003
【図２】
2010104961.tif 000004
【図３】
2010104961.tif 000005
【図４】
2010104961.tif 000006
【図５】
2010104961.tif 000007
【図６】
2010104961.tif 000008